(57)【特許請求の範囲】
【請求項１】
ケーブルを後方に向かって予め結線したコネクタの前方周囲を覆う第１ハウジング部材と、
前記ケーブルの側方から取り付けられて該ケーブルの少なくとも一部の周囲を覆う弾性部材と、
前記弾性部材を内包し該弾性部材を前記ケーブルに圧接させた状態で前記第１ハウジング部材に取り付けられる筒状の第２ハウジング部材と、
前記第２ハウジング部材を前記第１ハウジング部材に押し付け且つ前記第２ハウジング部材によって前記コネクタの後方周囲を覆うように前記第１ハウジング部材に着脱自在に固定される第３ハウジング部材と、
を備えることを特徴とする防水装置。
【請求項２】
前記第２ハウジング部材は、前記ケーブルを挿通させた状態で前記第１ハウジング部材に向かって前記ケーブルに沿って移動され、前記第３ハウジング部材は、前記ケーブルを挿通させ且つ前記第２ハウジング部材と係合した状態で前記第１ハウジング部材に向かって前記ケーブルに沿って移動されて前記弾性部材の弾性力に抗して前記第１ハウジング部材に固定される請求項１に記載の防水装置。
【請求項３】
前記筒状の第２ハウジング部材の後方の内径は最後尾に向かって小さくなるように設定されており、前記第２ハウジング部材を前記第１ハウジング部材に向かって前記ケーブルに沿って移動させたときに、最後尾に向かって小さくなるように設定された前記第２ハウジング部材の後方の内径を利用して前記弾性部材の外径を縮径し、前記ケーブルの少なくとも一部の全周において前記弾性部材を前記ケーブルに押し付ける請求項２に記載の防水装置。
【請求項４】
前記弾性部材は略一定の外径を有する円柱状とされており、前記弾性部材には長手方向に沿って前記ケーブルの断面の略半径深さまでスリットが切られており、前記弾性部材の中心付近の一部は少なくとも前記ケーブルの少なくとも一部に対応して刳り貫かれている請求項１乃至３のいずれかに記載の防水装置。
【請求項５】
前記第２ハウジング部材の前方に、前記第１ハウジング部材との間の隙間を塞ぐ防水手段を設けている請求項１乃至４のいずれかに記載の防水装置。
【請求項６】
前記防水手段は、前記第２ハウジング部材の前方外面に設けた環状の凹部に配置したリング状の防水手段である請求項５に記載の防水装置。
【請求項７】
前記第２ハウジング部材の外壁において後方に対面する段差部と、前記第３ハウジング部材の内壁において前方に対面する段差部とを衝突させることにより、前記第３ハウジング部材と前記第２ハウジング部材を係合させる請求項２に記載の防水装置。
【請求項８】
前記第２ハウジング部材の前側において後方に対面する部分と、前記第３ハウジングの後側において中心側に向かって突出する衝突面とを衝突させることにより、前記第３ハウジング部材と前記第２ハウジング部材を係合させる請求項２に記載の防水装置。
【請求項９】
前記第３ハウジング部材は前記第１ハウジング部材にバイヨネット接続される請求項１乃至８のいずれかに記載の防水装置。
【請求項１０】
前記コネクタは、前記ケーブルを予め結線した第１コネクタ部品と、この第１コネクタ部品に着脱自在に嵌合され得る第２コネクタ部品から成り、前記第１コネクタ部品には前記弾性部材が取り付けられ、前記第２コネクタ部品には前記第１ハウジング部材が取り付けられ、前記第１コネクタ部品と前記第２コネクタ部品が嵌合された後に、前記第２ハウジング部材と前記第３ハウジング部材は前記第１ハウジング部材に着脱自在に固定され得る請求項１乃至９のいずれかに記載の記載の防水装置。
【発明の詳細な説明】
【技術分野】
【０００１】
本発明は、防水装置、更に言えば、予め結線されたコネクタに後付け可能な防水装置に関する。
【背景技術】
【０００２】
コネクタを防水する従来の防水装置として、例えば、実開平６−３３１０７号公報に開示されているものがある。図５に、この防水装置の斜視図を示す。
【０００３】
この防水装置５は、主に、シール部材１４０と、防水ハウジング１６０、更にＯリング１８０から成る。この装置はボード固定タイプのものであって、取付の際は、ケーブル１４を防水ハウジング１６０やシール部材１４０に挿通させ、防水ハウジング１６０の後部をシール部材１４０によって内部から閉じるような状態で、且つ、ボード１００の周囲にＯリング１８０を圧接させるような状態で、ネジ孔１７６とネジ孔１０２を通じてネジ１９０をボード１００に取り付けることにより防水ハウジング１６０を固定する。明らかなように、このタイプのものでは、防水装置５を取り外すためにネジ１９０をボード１００から外す必要があり、従って、コネクタの取付けや取外しが非常に煩雑である。例えば、ネジ孔１０２の防水を実現するためにネジ孔１０２を接着剤で封止した場合には、防水装置５の取外しが実質的に不可能になることもある。
【０００４】
また、図５に示した従来構成では、コネクタ同士の嵌合を確実に確保するために、ネジ孔１０２と相手コネクタ１２０との位置関係が正確でなければならない。すなわち、ネジ孔１０２に対して相手コネクタ１２０が正規の位置（嵌合口１１０の位置）から僅かでも偏移していた場合にはシール部材１４０と防水ハウジング１６０との密接が確保できなくなって防水機能が発揮されず、コネクタ同士の嵌合が不可能となってしまうといった問題もある。
【０００５】
【特許文献１】実開平６−３３１０７号公報
【発明の開示】
【発明が解決しようとする課題】
【０００６】
本発明はこのような従来技術における問題点を解決するためになされたものであり、防水後もコネクタをパネル等から容易に取り外すことができる防水装置を提供する。また、一方のコネクタ部品と他方のコネクタ部品との確実な嵌合を確保しながら、これらコネクタを構成するコネクタ部品を確実に防水することができる防水装置を提供する。
【課題を解決するための手段】
【０００７】
本発明は、ケーブルを後方に向かって予め結線したコネクタの前方周囲を覆う第１ハウジング部材と、前記ケーブルの側方から取り付けられて該ケーブルの少なくとも一部の周囲を覆う弾性部材と、前記弾性部材を内包し該弾性部材を前記ケーブルに圧接させた状態で前記第１ハウジング部材に取り付けられる筒状の第２ハウジング部材と、前記第２ハウジング部材を前記第１ハウジング部材に押し付け且つ前記第２ハウジング部材によって前記コネクタの後方周囲を覆うように前記第１ハウジング部材に着脱自在に固定される第３ハウジング部材と、を備えることを特徴としている。
尚、前記第２ハウジング部材は、前記ケーブルを挿通させた状態で前記第１ハウジング部材に向かって前記ケーブルに沿って移動され、前記第３ハウジング部材は、前記ケーブルを挿通させ且つ前記第２ハウジング部材と係合した状態で前記第１ハウジング部材に向かって前記ケーブルに沿って移動されて前記弾性部材の弾性力に抗して前記第１ハウジング部材に固定され得る。
【０００８】
上記防水装置において、前記筒状の第２ハウジング部材の後方の内径は最後尾に向かって小さくなるように設定されており、前記第２ハウジング部材を前記第１ハウジング部材に向かって前記ケーブルに沿って移動させたときに、最後尾に向かって小さくなるように設定された前記第２ハウジング部材の後方の内径を利用して前記弾性部材の外径を縮径し、前記ケーブルの少なくとも一部の全周において前記弾性部材を前記ケーブルに押し付けるものであってもよい。
【０００９】
また、上記防水装置において、前記弾性部材は略一定の外径を有する円円柱状とされており、前記弾性部材には長手方向に沿って端から端までケーブル断面の略半径深さまでスリットが切られており、前記弾性部材の中心付近の一部は少なくとも前記ケーブルの少なくとも一部に対応して刳り貫かれていてもよい。
【００１０】
更に、上記防水装置において、前記第２ハウジング部材の前方に、前記第１ハウジング部材との間の隙間を塞ぐ防水手段を設けてあってもよい。この防水手段は、前記第２ハウジング部材の前方外面に設けた環状の凹部に配置したリング状の防水手段であってもよい。
【００１１】
また、上記防水装置において、前記第２ハウジング部材の外壁において後方に対面する段差部と、前記第３ハウジング部材の内壁において前方に対面する段差部とを衝突させることにより、前記第３ハウジング部材と前記第２ハウジング部材を係合させるものであってもよい。
或いは、上記防水装置において、前記第２ハウジング部材の前側において後方に対面する部分と、前記第３ハウジングの後側において中心側に向かって突出する衝突面とを衝突させることにより、前記第３ハウジング部材と前記第２ハウジング部材を係合させるものであってもよい。
【００１２】
上記防水装置において、前記第３ハウジング部材は前記第１ハウジング部材にバイヨネット接続されるものであってもよい。
【００１３】
上記防水装置において、前記コネクタは、ケーブルを予め結線した第１コネクタ部品と、この第１コネクタ部品に着脱自在に嵌合され得る第２コネクタ部品から成り、前記第１コネクタ部品には前記弾性部材が取り付けられ、前記第２コネクタ部品には前記第１ハウジング部材が取り付けられ、前記第１コネクタ部品と前記第２コネクタ部品が嵌合された後に、前記第２ハウジング部材と前記第３ハウジング部材は前記第１ハウジング部材に着脱自在に固定され得るものであってもよい。
【発明の効果】
【００１４】
本発明によれば、予め結線されたコネクタに後付け可能であって、しかも、防水後もコネクタをパネル等から容易に取り外すことができる防水装置が提供される。
【発明を実施するための最良の形態】
【００１５】
以下、添付図面を参照して、本発明の好適な一実施形態による防水装置を説明する。
【００１６】
図１の（ａ）は、本発明の防水装置１を、この防水装置１を適用できる光コネクタ２とともに示した半断面図であり、図１の（ｂ）は、本防水装置１を構成する一部品であるレセハウジング２０の正面図であり、図２は、防水装置１を光コネクタ２に組み付けた後の状態を一部半断面で示した半断面図である。便宜上、防水装置１に関する部材は半断面図で、光コネクタ２に関する部材の一部は通常の外観図で示している。
【００１７】
光コネクタ２は、第１コネクタ部品１１と、第１コネクタ部品１１が着脱自在に嵌合され得る第２コネクタ部品１２の対から成る。第１コネクタ部品１１は、本体部１３と、本体部１３の後方に延びるように予め結線されたケーブル１４と、本体部１３のケーブル１４の一部を覆うブース１９から成る。ケーブル１４は、図示のような丸型断面のものであってもよいが、例えば、よく知られたドロップケーブル（図示されていない）のような略四角断面のものであってもよい。ケーブル１４の先端には、光ファイバに接続されたフェルール１５が設けられており、その一部は本体部１３の先端側に突出している。この第１コネクタ部品１１に対し、第２コネクタ部品１２は、第１コネクタ部品１１が両側から嵌合され得るように略同形状の２つの部材を互いに付き合わせた形状を有する。中心付近には貫通孔が設けられており、貫通孔の一方の側から一方の第１コネクタ部品１１の前端部が、他方の側からは同形状の他方の第１コネクタ部品１１の前端部が、それぞれ挿入される。第１コネクタ部品１１を第２コネクタ部品１２に嵌合させたとき、２つの第１コネクタ部品１１の前端部がそれらのフェルール１５の端面において第２コネクタ部品１２の内部で互いに突き合わされ接続される。
【００１８】
このような光コネクタ２に適用できる本防水装置１は、主に、略円筒形状のレセハウジング（第１ハウジング部材）２０、同様に略円筒形状のフード部材（第２ハウジング部材）５０、及び略円筒形状のップリング部材（第３ハウジング部材）８０と、略一定の外径の円柱状シール部材９０から成る。レセハウジング２０、フード部材５０、カップリング部材８０は、比較的硬質の例えばプラスチック樹脂で形成されており、シール部材９０は、比較的柔らかく、好ましくは摩擦係数の小さなゴムで形成されている。尚、シール部材９０は円錐状でもよい。
【００１９】
防水装置１を光コネクタ２に取り付ける際、先ず、第２コネクタ部品１２をレセハウジング２０に配置する。これにより第２コネクタ部品１２はその一部周囲（第１コネクタ部品１１と第２コネクタ部品１２が嵌合された後においては光コネクタ２の前方周囲）をレセハウジング１２によって覆われる。レセハウジング２０を配置するため、第２コネクタ部品１２の左右各側には、レセハウジング２０の前側に設けた窪み２２の突き当て部３４に対応して、左右に突出するフランジ１７が設けてある。図１の矢印「ア」方向から、これらフランジ１７をレセハウジング２０の突き当て部３４に突き当てるようにして、第２コネクタ部品１２を窪み２２の内部に挿入し配置することができる。この結果、第２コネクタ部品１２は、レセハウジング２０によってその後側を支持される。第２コネクタ部品１２の前側は、例えば、図２に示すように、装置、機器等のボード４（図２参照）によって支持してもよいし、同形状のレセハウジング２０を互いに付き合せて相手方のレセハウジング２０によって支持してもよい。つまり、本防水装置１は、装置、機器等に取り付けられるボード固定タイプとして使用することもできるし、連結タイプとして使用することもできる。ボード４によって支持する場合は、レセハウジング２０のフランジ３５（図１の（ｂ）によく示されている）に設けた凹部４２にＯリング状の防水パッキン２１を配置し、この防水パッキン２１をボード４とフランジ３５の間に挟み込んだ状態で、レセハウジング２０の周囲に設けたネジ穴３２付きのフランジ３５を利用してそれをボード４にネジ固定する。このとき、第２コネクタ部品１２の前側に設けた片持ちばね片１８の先端３７と、フランジ１７の一方の外面３６との間に、ボード４を挟持させるようにして、第２コネクタ部品１２自体をボード４に係止してもよい。
【００２０】
レセハウジング２０と第２コネクタ部品１２を固定した後、図示矢印「イ」方向から、第２コネクタ部品１２に第１コネクタ部品１１を嵌合させる。このとき、第１コネクタ部品１１には、その前側から、カップリング部材８０とフード部材５０をこの順番でケーブルが予め１４に挿通させておく。尚、レセハウジング２０と第２コネクタ部品１２を固定した後には、レセハウジング２０によって第２コネクタ部品１２の一部周囲が覆われるため、第２コネクタ部品１２に対する第１コネクタ部品１１の嵌合位置が確認しにくくなるが、図１に示すように、第２コネクタ部品１２の切欠き１６の位置とレセハウジング２０の切欠部２９とが同位置にあるため、第１コネクタ部品１１の凸部９５を切欠部２９に合せて「イ」方向に移動させることで、第２コネクタ部品１２に第１コネクタ部品１１を容易に嵌合させることができる。
【００２１】
第２コネクタ部品１２に第１コネクタ部品１１を嵌合させた後、第１コネクタ部品１１の一部、即ち、ブース１９の全体とケーブル１４の一部の周囲を覆うように、シール部材９０を第１コネクタ部品１１の側方（図示矢印「ウ」方向）から取り付ける（但し、シール部材９０の取付けは、第２コネクタ部品１２に第１コネクタ部品１１を嵌合させる前であってもよい）。シール部材９０の中心付近の一部９１は、シール部材９０がケーブル１４等の周囲で完全に閉じるように、ケーブル１４等の形状に対応して刳り貫かれており、また、シール部材９０は、第１コネクタ部品１１の側方からシール部材９０を取り付けることができるように、長手方向（ケーブル）に沿って端から端までケーブル断面の略半径深さまで切られたスリット９６を有する。シール部材９０を第１コネクタ部品１１に取り付ける際、シール部材９０の弾性を利用して、シール部材９０の片側からスリット９６を開き、第１コネクタ部品１１のケーブル導出部９３とシール部材９０の当接部９２とを当接させた状態で取り付ける。尚、スリットを設ける代わりに、長手方向においてシール部材９０を完全に２つの部分に分離してもよい。
【００２２】
次いで、予め第１コネクタ部品１１の前側から挿通させておいたフード部材５０を、第１コネクタ部品１１の本体部１３とシール部材９０の全体を内包させるように、シール部材９０の後方から前方に向かって図示矢印「エ」方向に移動させ、フード部材５０の前側をレセハウジング２０に突き合てる。
【００２３】
最後に、カップリング部材８０を、フード部材５０の外面に沿って後方から前方に向かって図示矢印「エ」方向に移動させ、レセハウジング２０に固定する。このとき、フード部材５０の一部とカップリング部材８０の一部が係合し、これにより、フード部材５０はカップリング部材８０とともにレセハウジング２０に向かって移動させられ、カップリング部材８０を介して固定される。この結果、フード部材５０、カップリング部材８０、シール部材９０は、レセハウジング２０に対して一体的に固定されることになる。
【００２４】
次いで、構成部品の構成をより詳細に説明する。
【００２５】
レセハウジング２０は、例えば、比較的短い円筒状の部材である。レセハウジング２０はコネクタの前方周囲を覆ってそれを防水できる形状であれば足りる。例えば、第２コネクタ部品１２に第１コネクタ部品１１が嵌合されたとき、レセハウジング２０は第２コネクタ部品１２の半分と第１コネクタ部品１１の前方を覆う。フード部材５０が挿入される側の内壁には、前方から後方に向かって、段差部２３と傾斜面２４が設けてある。これらを設けることにより、環筒状の小内径部２５、中内径部２６、大内径部２７が形成される。また、レセハウジング２０の側面には、レセハウジング２０の後縁から切ったＬ字状の切欠部２９が設けてある。この切欠部２９は、後述するように、カップリング部材８０とのバイヨネット接続のために利用される。
【００２６】
フード部材５０は、例えば、比較的長い円筒状の部材である。フード部材５０の外壁には、前方から後方に向かって、小段差部５１と大段差部５２が設けてある。これらを設けたことにより、前方から後方に向かって、環筒状の大外径部５４と、中外径部５５、更に、比較的長い小外径部５６が形成される。フード部材５０の最後尾の外形は、緩やかに萎んだ形状である。フード部材５０をレセハウジング２０に組み付けたとき、前方の大外径部５４と中外径部５５は、レセハウジング２０に内包され、大外径部５４の先端側はレセハウジング２０の小内径部２５付近に、大外径部５４の後端側はレセハウジング２０の中内径部２６付近に、中外径部５５はレセハウジング２０の大内径部２７付近に、それぞれ配置される。特に、大外径部５４の先端側は、レセハウジング２０に隙間なく挿入され、これにより、レセハウジング２０に対するフード部材５０のがたつきを効果的に防止できる。また、大外径部５４の後端側の外面には、環状の凹部５７が設けてあり、ここに、例えば、Ｏリングのような弾性を有する防水パッキン２８を配置できる。防水パッキン２８を配置することにより、レセハウジング２０の中内径部２６とフード部材５０の大外径部５４の間に形成される隙間が完全に閉鎖され、装置前方への水の侵入をほぼ完全に防止することができる。
【００２７】
フード部材５０の外壁に設けた小段差部５１と大段差部５２の間のフード部材５０の内壁の対応位置に、急傾斜面５８が設けてある。急傾斜面５８を設けることにより、前方から後方に向かって、第２コネクタ部品１２の後方や第１コネクタ部品１１の本体部１３を内包し得る大内径部６０と、シール部材９０を内包し得る小内径部６１が形成される。特に後方の小内径部６１の内壁には、最後尾に向かって内径が小さく設定されるように緩傾斜面５９が設けてあり、緩やかに萎んだ形状とされている。緩傾斜面５９を設けたことにより、フード部材５０の対応位置における内径は、シール部材９０の外径よりも小さく設定される。この結果、フード部材５０の緩傾斜面５９とシール部材９０の後方外面９８との間に密接面が形成され得る。レセハウジング２０にフード部材５０を取り付けるために、フード部材５０をレセハウジング２０に向かって移動させたとき、フード部材５０は、緩傾斜面５９と後方外面９８との密接な接触を通じて、シール部材９０を取付方向（図示矢印「エ」方向）に押し付ける。これと同時に、最後尾に向かって小さくなるように設定されたフード部材５０の後方の内径を利用して、シール部材９０の外径を取付方向と直交する方向（図示矢印「カ」方向）に縮径する。以上の働きにより、シール部材９０は、フード部材５０の内部において、ケーブル１４の少なくとも一部の全周においてケーブル１４に押し付けるようにしてそこに圧接保持され、フード部材５０はその後端付近で完全に密閉状態とされる。尚、シール部材９０は、その先端面の一部である当接部９２において、第１コネクタ部品１１の本体部１３におけるケーブル導出部９３（後端部）と当接されているため、フード部材５０がシール部材９０を取付方向に押し付ける力は、第１コネクタ部品１１の本体部１３にもほぼそのまま加わる。この力は、第１コネクタ部品１１を第２コネクタ部品１２に押し付ける力として利用できる、換言すれば、第１コネクタ部品１１と第２コネクタ部品１２の間の嵌合状態を強化するのに役立つ。
【００２８】
カップリング部材８０は、比較的短い略円筒状の部材である。カップリング部材８０の内壁中間付近には係合段差部８１が設けてある。係合段差部８１を設けたことにより、その前側に薄肉部８２が、その後側に厚肉部８３が形成される。カップリング部材８０をレセハウジング２０に取り付けたとき、薄肉部８２はレセハウジング２０の大内径部２７とフード部材５０の中外径部５５の環状の隙間に挟持され、また、前方に対面するカップリング部材８０係合段差部８１が、後方に対面するフード部材５０の大段差部５２と衝突し、この係合を通じて、フード部材５０はカップリング部材８０の移動に応じてレセハウジング２０に移動される。カップリング部材８０の外壁面には、レセハウジング２０のＬ字状の切欠部２９に対応して、突起部８４が設けられており、カップリング部材８０をレセハウジング２０に固定する際、この突起部８４を、レセハウジング２０のＬ字状の切欠部２９に挿入した状態でカップリング部材８０を図示矢印「キ」方向に真っ直ぐ押し込んだ後、「ク」方向に回転させて、突起部８４を切欠部２９の終端点である後方に膨れた円形窪み部３３に収容させるようにして、バイヨネット接続を達成できる。バイヨネット接続を用いることにより、ねじ切りによる固定方法のように固定時の力加減による影響をなくして、略一定の力で接続を行わせることができ、また、カップリング部材８０とレセハウジング２０を常に一定の距離を保った状態で固定できる。尚、カップリング部材８０の突起部８４をレセハウジング２０の切欠部２９に沿って真っ直ぐに押し込む際、カップリング部材８０は、カップリング部材８０とフード部材５０の係合部（即ち、大段差部５２と係合段差部８１の係合）を介してフード部材５０がシール部材９０からの弾性力を受ける。カップリング部材８０のレセハウジング２０に対する固定は、この弾性力に抗して行われることになるが、突起部８４を窪み３３に収容した後は、この反力によって突起部８４を窪み３３に常時押し付けた状態とできるため、この力はバイヨネット接続を確実に保持するために有効である。
【００２９】
図３に、本発明の第２の実施形態を示す。この図は、第１の実施形態における図２に対応する。便宜上、第１の実施形態と別部材であるが同様の部材には、参照番号に「Ａ」を付加して示す。この第２の実施形態では、第１の実施形態と異なり、フード部材５０Ａの先端部に小内径部２５Ａを位置決めする凹部（図２の「凹部５７」）を設けていない。従って、防水パッキン２８は、単に、大外径部５４Ａの先端付近において大外径部５４Ａと小内径部２５Ａの間に配置されるだけである。このように完全に位置決めされていなくても、防水パッキン２８は、本発明を達成する上では、防水機能を果たせれば十分である。この第２の実施形態のように、凹部を設けない場合は、傾斜面（図２の「段差部２３」）等を設ける必要がなくなるため、金型等を簡易化でき、製造コストを抑えることができる。
【００３０】
図４に、本発明の第３の実施形態を示す。便宜上、第１の実施形態と別部材であるが同様の部材には、参照番号に「Ｂ」を付加して示す。この第３の実施形態では、第１の実施形態や第２の実施形態と異なり、防水パッキン２８を使用する代わりに、矩形断面を有する幅リング３０を用いた。幅リング３０は、レセハウジング２０Ｂの先端に設けた、所定深さを有する窪み４４に嵌め込まれた後、フード部材５０の前端面６２によって前方に押し付けられる。窪み４４に対する大外径部５４Ｂの嵌め込みを容易にするため、突出部３８の外部環状縁３９にテーパ−４０を設けてもよい。更に、第３の実施形態では、第１の実施形態や第２の実施形態の大段差部５２や係合段差部８１に代えて、カップリング部材８０Ｂの後方において中心側に垂直方向に突出する円形状の後方支持部８５を設けている。カップリング部材８０Ｂをレセハウジング２０Ｂに固定する際、この後方支持部８５によってフード部材５０Ｂ後端の環状縁６３、即ち、後方に対面する部分を支持するようにして、カップリング部材８０Ｂとともにフード部材５０Ｂをレセハウジング２０Ｂに押し付けることができる。尚、カップリング部材８０Ｂとレセハウジング２０Ｂの固定は、第１の実施形態や第２の実施形態に示したバイヨネット接続によるものであってもよいが、本実施形態のように、レセハウジング２０Ｂに凹部４１を、これに対応してカップリング部材８０に凸部８６を設け、これらを嵌合させるようにして着脱自在としてもよい。
【００３１】
以上、本防水装置を、光コネクタへの適用を例に挙げて説明してきたが、本防水装置は、光コネクタに限らず、電気コネクタ、その他の様々なタイプのコネクタに適用可能である。
【図面の簡単な説明】
【００３２】
【図１】本発明の一実施形態による防水装置を示す図である。
【図２】図１の防水装置を光コネクタに組み付けた後の状態を示す図である。
【図３】本発明の他の実施形態を示す図である。
【図４】本発明の他の実施形態を示す図である。
【図５】従来構成を示す図である。
【符号の説明】
【００３３】
１  防水装置
２  光コネクタ
４  ボード
１１  第１コネクタ部品
１２  第２コネクタ部品
１３  本体部
１４  ケーブル
１５  フェルール
１７  フランジ
１８  ばね片
１９  ブース
２０  レセハウジング
２１  防水パッキン
２２  窪み
２３  段差部
２４  傾斜面
２５  小内径部
２６  中内径部
２７  大内径部
２８  防水パッキン
２９  切欠部
３０  幅リング
３２  ネジ穴
３３  円形窪み部
３４  突き当て部
３５  フランジ
３６  外面
３７  先端
３８  突出部
３９  外部環状縁
４０  テーパー
４１  凹部
４２  凹部
４４  窪み
５０  フード部材
５１  小段差部
５２  大段差部
５４  大外径部
５５  中外径部
５６  小外径部
５７  凹部
５８  急傾斜面
５９  緩傾斜面
６０  大内径部
６１  小内径部
６２  前端面
６３  環状縁
８０  カップリング部材
８１  係合段差部
８２  薄肉部
８３  厚肉部
８４  突起部
８５  後方支持部
８６  凸部
９０  シール部材
９１  刳り貫き部
９２  当接部
９３  ケーブル導出部
９６  スリット
９８  後方外面
【図１】
0004446969.tif 000002
【図２】
0004446969.tif 000003
【図３】
0004446969.tif 000004
【図４】
0004446969.tif 000005
【図５】
0004446969.tif 000006